(57)【要約】【課題】バックライトアセンブリの構造を改善した液晶表示装置を提供する。【解決手段】本発明による液晶表示装置は、画像を表示する液晶パネルと、液晶パネルに光を供給するバックライトアセンブリと、バックライトアセンブリと組み合わせる上フレームと、を備える。バックライトアセンブリは、光源と、光源から発せられた光の方向を調節する光学部材と、光源を収納する下フレームと、を備えている。下フレームは、底面としての光源収納部、底面の端縁から立ち上がる側面としての側部、及び側面から光源に向かって延在して光学部材を支持する上面としての光学部材支持部を備えている。下フレームにおける光学部材支持部は側部から光源に向かって延在することから、全体としての液晶表示装置の小型軽量化を図ることができる。【選択図】図１Ａ
2009032658.tif 000002
【特許請求の範囲】
【請求項１】
電気エネルギーを受けて発光する光源と、
前記光源の上部に配置される光学部材と、
前記光源の下部に配置されると共に前記光源に向かい合う光源収納部と、前記光源収納部から前記光源に向かって立ち上がる側部と、前記側部から前記光源に向かって折れ曲がりながら延在する光学部材支持部と、を有する下フレームと、
を備えるバックライトアセンブリ。
【請求項２】
前記下フレームにおける前記光源収納部と前記光学部材支持部とを繋ぐ斜め反射部をさらに有する請求項１に記載のバックライトアセンブリ。
【請求項３】
前記斜め反射部と、前記下フレームにおける前記光源収納部と、前記側部と、前記光学部材支持部とからなる第１の空間を有する請求項２に記載のバックライトアセンブリ。
【請求項４】
前記光源は発光部と光源の端部に設けられた電極部とを有し、前記電極部は光源に電気を与える電源供給部に固定され、前記電極部と前記電源供給部とは前記第１の空間に配置されている請求項３に記載のバックライトアセンブリ。
【請求項５】
前記電源供給部は、前記側部及び前記斜め反射部から離隔されている請求項４に記載のバックライトアセンブリ。
【請求項６】
前記第１の空間は、前記光源の長手方向に沿って形成された隙間である請求項１に記載のバックライトアセンブリ。
【請求項７】
前記光源は、前記下フレームにおける前記光源収納部に密着して配置される請求項１に記載のバックライトアセンブリ。
【請求項８】
前記光源は平面状を呈すると共に、前記下フレームに密着されている請求項７に記載のバックライトアセンブリ。
【請求項９】
前記光源は、複数のＬＥＤチップを内蔵したプレートである請求項８に記載のバックライトアセンブリ。
【請求項１０】
前記光学部材支持部は、その幅の５０％以上が前記光学部材と重なる請求項８に記載のバックライトアセンブリ。
【請求項１１】
光源と、
前記光源の上部に配置される液晶パネルと、
前記光源と前記液晶パネルとの間に配置された光学部材と、
前記光源の下部に配置されると共に前記光源を収納する光源収納部と、前記光源収納部から前記光源に向かって立ち上がる側部と、前記側部から前記光源に向かって折れ曲がりながら延在する光学部材支持部と、を有する下フレームと、
前記液晶パネルの周縁を固定する液晶パネル支持部と、前記液晶パネル支持部から前記光源に向かって延在し前記下フレームの前記側部とオーバーラップする側部固定部と、を有する上フレームと、
前記上フレームの前記側部固定部と前記下フレームの前記側部とを係合する係合部材と、
を備える液晶表示装置。
【請求項１２】
前記係合部材は、前記側部固定部及び前記側部を貫通する請求項１１に記載の液晶表示装置。
【請求項１３】
前記光学部材支持部の上面には、前記液晶パネルと前記光学部材とを離隔させる離隔部と、前記離隔部から延在すると共に、前記光学部材支持部の上面に配置される支持柱とを有する中フレームがさらに配置されている請求項１１に記載の液晶表示装置。
【請求項１４】
前記光学部材支持部は、前記光学部材と重なる第１の重なり面積と、前記中フレームの前記支持柱と重なる第２の重なり面積とを有し、第１の重なり面積が第２の重なり面積よりも広い請求項１３に記載の液晶表示装置。
【請求項１５】
前記中フレームは、前記上フレームの前記側部固定部と前記下フレームの前記側部との間に介在される介在部をさらに備える請求項１３に記載の液晶表示装置。
【請求項１６】
画像を表示する液晶パネルと、
前記液晶パネルの後方に位置する光源と、
前記光源を収納する下フレームと、
を備え、
前記下フレームは、液晶パネルと平行な第１の面と、前記第１の面から液晶パネルに向かって折れ曲がりながら延在すると共に、液晶パネルとは重ならない第２の面と、第２の面から液晶パネルに向かって折れ曲がりながら延在する第３の面とを有し、前記第３の面は、液晶パネルと少なくとも一部が重なっている液晶表示装置。
【請求項１７】
前記光源は、前記下フレームにおける第１の面に密着して配置される面光源である請求項１６に記載の液晶表示装置。
【請求項１８】
前記光源は、複数のＬＥＤ及びＬＥＤ付き基板からなる請求項１７に記載の液晶表示装置。
【請求項１９】
光源を設け、
前記光源の下部に下フレームを設け、
前記下フレームに光学部材を配置し、
前記光学部材から一定間隔離隔させて液晶パネルを配置し、
前記液晶パネルの周縁を支持して下フレームと組み合わせる上フレームを設けること、
を含み、
前記下フレームは、光源収納部と、前記光源収納部から立ち上がる側部と、前記側部から前記光源に向かって折れ曲がりながら延在する光学部材支持部と、を有する液晶表示装置の製造方法。
【請求項２０】
前記上フレームは、液晶パネル支持部と、前記液晶パネル支持部から前記光源に向かって折れ曲がりながら延在する側部固定部とを有し、前記上フレームと前記下フレームとは側部固定部により組み合わせられる請求項１９に記載の液晶表示装置の製造方法。
【発明の詳細な説明】
【技術分野】
【０００１】
本発明はバックライトアセンブリの構造を改善した液晶表示装置に係り、さらに詳しくは、バックライトアセンブリの下フレームの周縁部を「コ」字状にすると共に、光源及び光学部材を収納して小型軽量化を図ることのできる液晶表示装置に関する。
【背景技術】
【０００２】
電子装置が生活の必需品となっている現代において、多くの電子装置はディスプレイを必要とする。ディスプレイの中でも、液晶表示装置は最も電子装置に採用されているディスプレイである。液晶表示装置は、液晶パネルの内部における液晶分子の配列を制御することにより駆動されるものであるが、液晶分子は自ら発光することができないため、あらゆる液晶分子を均一に照らすバックライトアセンブリが別途必要となる。
【０００３】
バックライトアセンブリは、液晶パネルへの光源の取付け箇所に応じて、直下型のものとエッジ型のものとに大別できる。これらの中で、直下型のものにおいては、光源が液晶パネルの後方に位置する。また、液晶表示装置の全体に亘って均一な輝度または向上した視野角を与えるための光学部材が少なくとも一つ液晶パネルと光源との間に位置する。バックライトアセンブリは、下フレームをさらに備え、下フレームは内部に光源を収納する光源収納部と、周縁から光学部材を支持する周縁部とを有する。
【０００４】
周縁部は、光学部材を堅く支持するために所定の面積だけ光学部材と重なる（オーバーラップする）部分を有するが、このような重なり部分が増大するか、あるいは、光源とは逆方向に延在する場合、液晶表示装置自体の厚みが増し大型化が招かれるといった問題点を有する。別の例として、下フレームにおける周縁部に光学部材を支持するための別途の部材をさらに設けてもよいが、これは液晶表示装置の大型化と共に部品点数、製造コスト、製造時間の増大などといった好ましくない結果を招いてしまう。
【発明の開示】
【発明が解決しようとする課題】
【０００５】
本発明は上記事情に鑑みてなされたものであり、その目的は、バックライトアセンブリにおける下フレームの周縁部を改善することにより、なお一層コンパクトになる液晶表示装置を提供することである。
【０００６】
本発明の他の目的は、前記バックライトアセンブリを備えることにより、部品点数、製造コスト、製造時間などを削減することのできる液晶表示装置を提供することである。
【課題を解決するための手段】
【０００７】
上記の本発明の目的を達成するために、本発明の一実施形態によるバックライトアセンブリは、複数の光源と、光学部材と、下フレームとを有する。光源は、液晶パネルの後方に位置して光を発する。光学部材は、拡散板、拡散シート、集光シートなどであり、光源から発せられた光の方向を調節して液晶表示装置の全体の光分布を調節する。
【０００８】
下フレームは、光源を収納すると共に光源と重なる領域を有する光源収納部と、該光源収納部の周縁に位置して光学部材を支持する周縁部とを備えている。このとき、光学部材は、光源から所定の距離だけ離隔して光分布を調節し易くする。下フレームにおける周縁部は、光源収納部の端縁から立ち上がる側部と、該側部から光源に向かって光源収納部に対して平行に延在する光学部材支持部とを備えている。
【０００９】
上記の本発明の目的を達成するために、本発明の他の実施形態による液晶表示装置は、液晶パネルと、中フレームと、上フレームと、バックライトアセンブリとを備えている。バックライトアセンブリは、光源と、光学部材と、下フレームとを備え、下フレームは、光源収納部と、光源収納部から延在する周縁部とを備えている。さらに、周縁部は、光源収納部から垂直に立ち上がる側部と、該側部から光源に向かって延在する光学部材支持部とを備えている。また、中フレームは、光学部材支持部の上に配置されて液晶パネルを支持すると共に、液晶パネルを光学部材から所定の間隔だけ離隔させる離隔部を有する。さらに、中フレームは、離隔部から下フレームに向かって延在する支持柱を有する。
【００１０】
上記の本発明の目的を達成するために、本発明のさらに他の実施形態による液晶表示装置のバックライトアセンブリにおいて、下フレームにおける周縁部は、光源収納部と光学部材支持部との間に隙間を形成する。また、上フレームは、液晶パネルを固定する液晶パネル支持部と、該液晶パネル支持部から折れ曲がりながら延在し、下フレームの側部と重なる側部固定部とを備えている。なお、該側部固定部には、下フレームにおける周縁部との機械的な固定のための締付構造が設けられてもよい。このとき、締付構造は、ネジ止めのための貫通孔であってもよく、この場合、ネジは、上フレームから下フレームの側部を貫通して下フレームの隙間まで延在する。
【００１１】
上記のような下フレーム、バックライトアセンブリ及びこれを有する液晶表示装置によれば、側部から光源に向かって光学部材支持部を延在することにより、液晶表示装置のなお一層の小型軽量化を図ることができる。
【発明の効果】
【００１２】
本発明によるバックライトアセンブリ及びこれを採用した液晶表示装置は、下フレームの光学部材支持部が側部から光源に向かって延在することにより、全体としての液晶表示装置の小型軽量化を図ることができ、しかも、部品点数、工程時間などを削減することができる。
【発明を実施するための最良の形態】
【００１３】
以下、図１から図７に基づき、本発明の好適な実施形態について詳細に説明する。しかし、これらの実施形態は単に本発明を例示するためのものであり、本発明はこれに限定されるものではない。なお、説明の便宜のために、図面の全体を通じて同じ部材には同じ参照符号を付する。
【００１４】
図１Ａは、本発明の一実施形態による液晶表示装置の断面図であって、下フレームが「コ」字状に２回折れ曲がるバックライトアセンブリを採用している。
【００１５】
図１Ａを参照すると、液晶表示装置１００は、バックライトアセンブリ２００と、液晶パネル４００と、上フレーム５００とを備えている。なお、液晶表示装置１００は、中フレーム３００をさらに有してもよい。バックライトアセンブリ２００は、光源２１０と、光学部材２２０と、下フレーム２３０とを備えている。ここで、下フレーム２３０は、光源２１０を収納する光源収納部２３２と、光源収納部の端縁から立ち上がる側部２３４と、側部から光源に向かって折れ曲がりながら水平に延在する光学部材支持部２３６とを備えている。
【００１６】
しかしながら、本発明による下フレームはこれに限定されるものではなく、図１Ａに示すように折れ曲がっている限り、側部２３４は光源収納部の端縁から立ち上がる態様でなくてもよく、且つ、光学部材支持部２３６は水平に延在する態様でなくてもよい。結論的に、光学部材支持部２３６は、光源２１０に向かって折れ曲がりながら延在することにより光源収納部２３２の一部とｄ１だけ重なることから、全体としての液晶表示装置の外郭サイズをコンパクトにできる。
【００１７】
図１Ｂは、図１Ａとの比較のために、下フレームが光源から遠ざかるように折れ曲がるバックライトアセンブリを採用した液晶表示装置の断面図である。
【００１８】
図１Ｂを参照すると、下フレーム２３０における光学部材支持部２３６'が光源２１０とは逆方向にｄ２だけ折れ曲がりながら延在している。その結果、図１Ａに示すものよりもｄ２だけ液晶表示装置１００が大型化してしまう。さらに、液晶表示装置において、ｄ２の距離を有する辺の数に見合う分だけ全体として大型化することになる。さらに、光学部材支持部２３６'が光源から遠くに設けられている図１Ｂの構造においては、下フレーム２３０'と上フレーム５００とを組み合わせるためのさらなる側部２３８が光学部材支持部２３６'の端部から液晶表示装置の幅方向（光学支持部材２３６’に対して垂直な方向）に延在しなければならないため、下フレーム２３０'の作製が複雑になり、コスト高につながる。このことから、図１Ａに示すような「コ」字状の下フレームの方が、液晶表示装置の小型軽量化を図る上で有効であることが分かる。
【００１９】
バックライトアセンブリ２００は、液晶パネル４００の後方に位置する光源２１０を有する。ここで、光源２１０としては、通常、冷陰極型光ランプ（ｃｏｌｄ  ｃａｔｈｏｄｅ  ｆｌｕｏｒｅｓｃｅｎｔ  ｌａｍｐ）、熱陰極型光ランプ（ｈｏｔ  ｃａｔｈｏｄｅ  ｆｌｕｏｒｅｓｃｅｎｔ  ｌａｍｐ）またはＬＥＤ（ｌｉｇｈｔ  ｅｍｉｔｔｉｎｇ  ｄｉｏｄｅ）などが採用可能である。光源２１０と液晶パネル４００との間には光学部材２２０が位置して、液晶パネル４００に均一な光を与える。図１Ａに示すように、直下型バックライトアセンブリにおいては、それぞれの光学部材２２０が光源２１０から所定の間隔だけ離隔されており、自重による垂れ下がりの防止及び十分な光拡散のために、所定の厚みの拡散板２２２が最下部に配置されている。
【００２０】
さらに、図１Ａに示すように、光学部材２２０は、光源２１０の下部に配置された反射シート２４０をさらに有するが、反射シート２４０は、光源２１０と重なる領域及び光源２１０と重なる領域から平行に延在する光源反射部２４２と、光源反射部２４２から下フレームの光学部材支持部２３６に向かって延在する斜め反射部２４４と、斜め反射部から延在して下フレームの光学部材支持部２３６に配置される固定部２４６とを備えている。固定部２４６は、光学部材支持部２３６と拡散板２２２との間に位置し、拡散板２２２及び中フレーム３００により光学部材支持部２３６に押し付けられる。このように反射シート２４０が押し付けられると、図１Ａに示すように、下フレームにおける光源収納部２３２と、側部２３４と、光学部材支持部２３６と、反射シート２４０とにより隙間ＥＳ１ができ、隙間ＥＳ１は、上フレーム５００と下フレーム２３０の側部とを係合するために用いられる。この隙間は、図１Ａには閉空間として示してあるが、光学部材支持部２３６が光源に向かって折れ曲がり、下フレーム２３０と上フレーム５００との組み合わせに利用可能である限り、開空間であってもよい。
【００２１】
図１Ａを参照すると、中フレーム３００は、光学部材２２０と液晶パネル４００とを離隔させる離隔部３１０と、離隔部３１０から下フレーム２３０に向かって延在する支持部３２０とを備えている。支持部３２０は、下フレーム２３０の光学部材支持部２３６に配置されて、下フレーム２３０と液晶パネル４００との距離を限定する。
【００２２】
図２は、図１Ａに示す下フレームが「コ」の字形状に２回折れ曲がるバックライトアセンブリを採用した液晶表示装置の分解斜視図である。
【００２３】
図２を参照すると、液晶表示装置は、下から下フレーム２３０と、光源２１０と、光学部材２２０と、中フレーム３００と、液晶パネル４００と、上フレーム５００とがこの順に配置されている。下フレーム２３０は、光源収納部２３２と、側部２３４と、光学部材支持部２３６とを備えている。図１Ａに示すように、光学部材支持部２３６は、側部２３４から光源２１０に向かって折れ曲がって「コ」の字形状を呈し、光学部材２２０と、中フレーム３００と、上フレーム５００とに重なって（オーバーラップして）いる。図２において、光学部材支持部２３６は、光源２１０の長手方向ｘに沿って配置されているが、光源２１０の長手方向と直交する方向ｙに沿って配置されてもよい。
【００２４】
反射シート２４０は、光源反射部２４２と、斜め反射部２４４と、固定部２４６とを備え、固定部２４６が光学部材支持部２３６上に配置されて拡散板２２２及び中フレーム３００により押圧される。図２において、光源２１０の先端部は、反射シートの斜め反射部２４４を貫通しているが、これについては図３に基づいて後述する。なお、反射シートの斜め反射部２４４は、光源の未設置個所に設けられてもよいが、これについては図４に基づいて後述する。
【００２５】
以下、液晶表示装置１００の組立て方法について説明する。光源２１０を収納する下フレーム２３０には、光源２１０に電源を供給する給電部（図示せず）が設けられている。この下フレーム２３０の内側に反射シート２４０が密着して配置された後、下フレーム２３０の光源収納部２３２に光源２１０が取り付けられる。この下フレーム２３０の光学部材支持部２３６上には光学部材２２０である拡散板２２２及び光学シート２２４が配置固定されるが、このとき、その固定を安定的なものとするために、光学部材支持部２３６の幅の略半分が光学部材２２０と重なる。
【００２６】
光学部材２２０の配置後、光学部材２２０の外側、すなわち、光学部材支持部２３６の側部２３４には中フレーム３００が配置される。中フレーム３００は、全体的に閉四角枠状を有するため、その組付けが容易である。また、中フレーム３００は多数に分割され、これらを連結させて５２インチなどの大掛かりな液晶表示装置に利用することが可能である。中フレーム３００は、液晶パネル４００を支持すると共に、光学部材２２０と液晶パネル４００とを離隔させる離隔部３１０と、離隔部３１０から下フレームに向かって延在する支持部３２０とを備えている。なお、支持部３２０は、下フレーム２３０の光学部材支持部２３６に配置され、下フレームと液晶パネルとの距離を定義する。
【００２７】
中フレーム３００の離隔部３１０に液晶パネル４００が配置された後、上フレーム５００が液晶パネル４００の上部に固定されて、液晶表示装置１００が完成する。上フレーム５００は、液晶パネル４００と並設される液晶パネル支持部５１０と、液晶パネル支持部５１０から延在する側部固定部５２０とを備えている。側部固定部５２０は、下フレーム２３０の側部２３４と重なる領域を有するように延在するが、その重なる領域には下フレームの側部２３４との機械的な固定のための連結部が形成され、この連結関係は図６から明らかになる。
【００２８】
図３は、図２に示す光源の先端部が反射シートの斜め反射部を貫通するようなバックライトアセンブリの断面図である。
【００２９】
図３を参照すると、バックライトアセンブリ２００は、下フレーム２３０の光源収納部２３２と、側部２３４と、光学部材支持部２３６と、反射シート２４０の斜め反射部２４４とに囲まれた隙間ＥＳ２を有する。また、光源２１０は、光が発せられるガラス管部２１２と、光源から突出する電極部２１４とを有する。電極部２１４は、外部から電源を供給するための給電部２１６に固定される。給電部２１６は、下フレームの側部２３４から光源２１０のガラス管部２１２に向かって折れ曲がる光学部材支持部２３６の下に配置されることにより、液晶表示装置全体の小型化を図ることができる。
【００３０】
一方、下フレーム２３０の光学部材支持部２３６が光源２１０とは遠ざかるよう側部２３４から外側に向かって延在される場合、液晶表示装置全体の大型化が招かれる。
【００３１】
この場合、側部２３４は、給電部２１６よりも外側に位置するため、反射シートの斜め反射部２４４は、斜め反射部の最低点Ｌから側部の最高の高点Ｈまでの点線表示の緩やかな勾配を有し、この緩やかな勾配が給電部２１６と接しないためには、側部２３４をさらに高めることを余儀なくされ、液晶表示装置全体の厚みが増してしまう。さらに、給電部２１６は、側部２３４よりも内側に位置するため、内側から外郭に向かって延在する光学部材支持部の長さに見合う分だけ液晶表示装置の平面の広さも増大してしまう。
【００３２】
このため、光学部材支持部２３６が側部から液晶表示装置の内側に向かって設けられるときに、液晶表示装置全体の小型化を図ることができる。
【００３３】
図４は、図２に示す反射シートの斜め反射部が光源と接しないようなバックライトアセンブリの断面図である。
【００３４】
図４を参照すると、バックライトアセンブリ２００は、下フレーム２３０の光源収納部２３２と、側部２３４と、光学部材支持部２３６と、反射シートの斜め反射部２４４とにより囲まれる隙間ＥＳ３を有する。もし、下フレーム２３０に、側部２３４から光源２１０に向かって延在する光学部材支持部２３６が設けられていない場合、光学部材を支持する別途の部材が側部２３４に密着して配置される必要があるが（図１Ｂ参照）、本発明はこのような別途の部材を使用しないことから、部品点数の低減及び軽量化を図り得るというメリットを有する。なお、光学部材支持部２３６が光源２１０から遠ざかるように側部２３４から設けられている限り、図２に示すように光学部材支持部の幅に見合う分だけ全体としての液晶表示装置の大型化が不可避である。
【００３５】
このため、光学部材支持部２３６が側部２３４から液晶表示装置の内側に向かって設けられるときに、全体としての液晶表示装置の小型化を図ることができる。
【００３６】
図５は、面光源が下フレームに密着しているようなバックライトアセンブリの断面図である。
【００３７】
図５を参照すると、バックライトアセンブリ２００は、下フレーム２３０に収納される光源２１５を有する。図３または図４に示された光源とは異なり、図５に示す光源２１５は平面であり、下フレーム２３０に密着して配置される。ここで、面光源２１５は、１枚のプレートとして下フレーム２３０の光源収容部２３２を覆うように配置されてもよく、多数に分割されて配置されてもよい。多数に分割されて配置される場合、面光源２１５のそれぞれは隙間なしに密着して配置されてもよく、所定の間隔を隔てて配置されてもよい。所定の間隔を隔てて配置される場合、その間隔には反射シートが位置する。
【００３８】
面光源２１５は、平面状の蛍光ランプ、ＬＥＤ基板、電界発光素子などにより構成可能であるが、図５には一例としてＬＥＤ基板が例示されている。詳しくは、光源２１５は、点発光素子としてのＬＥＤ２１７と、発光素子が取り付けられる基板２１９とを備える。基板２１９には、ＬＥＤ２１７を駆動するための配線が設けられる。また、基板２１９は、ＬＥＤ２１７から発せられた光を反射するための反射機能を有してもよい。基板２１９が反射機能を有する場合、反射シート２４０は光源反射部２４２を省略して、斜め反射部２４４と固定部２４６とだけで構成されてもよい。さらに、反射シート２４０は、面光源２１５だけでバックライト全体としてムラがなく十分な輝度を液晶パネルに提供できる限り、省略可能である。
【００３９】
図５を参照すると、下フレーム２３０は、光源収納部２３２と、側部２３４と、光学部材支持部２３６とを有する。光源収納部２３２には、面光源２１５が密着して配置される。このとき、面光源２１５と光源収納部２３２との間には反射シート（図示せず）がさらに配置されて光反射特性を高めてもよい。さらに、面光源２１５と光源収納部２３２とを密着させることなく、所定の間隔（図示せず）だけ隔てることにより、光反射特性または熱伝達特性などを高めることができる。下フレーム２３０は、光学部材支持部２３６が側部２３４から面光源２１５に向かって延在しているため、液晶表示装置全体の小型化を図ることができる。
【００４０】
図５には示していないが、面光源２１５は、光源収納部２３２から光学部材支持部２３６の下部まで延在してもよい。この場合、光学部材支持部２３６と重なる面光源領域は、下フレームとの係合のための構造の形成またはバックライトの光分布の効率化に寄与することができ、バックライト構造の単純化または組み立て工程の単純化を図ることが可能になるといったメリットを有する。
【００４１】
図６は、図２に示す下フレームと反射シートとが形成する空間を用いて下フレームと上フレームとを組み合わせる例を示す断面図である。
【００４２】
図６を参照すると、下フレーム２３０の側部２３４には第１の貫通孔２３８が設置され、上フレーム５００の側部固定部５２０には第２の貫通孔５３０が設置される。第１及び第２の貫通孔２３８、５３０は、下フレームの側部２３４と上フレームの側部固定部５２０とが重なる領域に並んで設置されて、別途の係合部材６００により締め合わせ可能になる。
【００４３】
図６においては、係合部材６００としてねじを例示している。ねじは、第１及び第２の貫通孔２３８、５３０にはめ込まれるが、ねじの先端は下フレーム２３０と反射シート２４０にとより限定される隙間ＥＳ３まで延在する。これから明らかなように、隙間ＥＳ３は、係合部材６００が所定分だけ延在可能なサイズを有するが、これにより液晶表示装置１００が大型化することはない。
【００４４】
もし、上フレーム５００と下フレーム２３０とを組み合わせるために上フレーム５００の液晶パネル支持部５１０から係合部材６００が延在される場合、下フレーム２３０の光学部材支持部２３６が係合部材６００を収容可能な程度に広い必要があるが、このためには、光学部材支持部２３６が下フレームの側部２３４から立ち上がって光源から遠ざかるように設けられるときに有利であり、液晶表示装置の面積を増大させる結果を招く。
【００４５】
このため、光学部材支持部２３６が側部から液晶表示装置１００の内側に向かって設けられるときに、液晶表示装置の厚さを用いて上フレーム５００と下フレーム２３０とを組み合わせることにより、全体としての液晶表示装置の小型化を図ることができる。
【００４６】
図７Ａは、図６に示す係合部材６００が下フレームの側部と上フレームの側部固定部とを係合した場合の液晶表示装置の平面図であり、図７Ｂは、図６とは異なり、係合部材６００が上フレームの液晶パネル支持部から液晶表示装置の厚さ方向に延在する液晶表示装置の平面図である。
【００４７】
図７Ａ及び図７Ｂを参照すると、液晶表示装置１００においては、有効表示領域ＡＡ、ＡＡ′の周縁に上フレーム５００の液晶パネル支持部５１０が設けられる。図６に示すように、下フレーム（図示せず）の光学部材支持部が側部から光源に向かって延在する図７Ａの場合、係合部材６００は上フレーム５００の側部固定部に差し込まれて係合を行うため、上部に係合部材のための幅を設けることは不要になる。このため、例えば、対角の長さが５２インチの液晶表示装置の場合、上フレームの液晶パネル支持部の幅Ｗ１は１３ｍｍにできる。
【００４８】
これに対し、下フレームの光学部材支持部が側部から立ち上がって光源から遠ざかるように延在する図７Ｂの場合には、係合部材６００’が液晶表示装置の表面積を用いて係合を行うため、上部に係合部材６００’のための別途の幅が必要となる。すなわち、係合部材６００’は上フレーム５００の液晶パネル支持部５１０を用いて係合を行うため、液晶表示装置が大型化する。例えば、図７Ｂに示す有効表示領域ＡＡ’を有する対角の長さが５２インチの液晶表示装置においては、上フレーム５００の液晶パネル支持部５１０の形成のためにそれぞれ３０ｍｍまたは２８．６ｍｍの幅を図７Ａに示される液晶表示装置よりも必要とする。詳しくは、図７Ｂに示されるように、係合部材６００’は液晶表示装置の平面においてそれぞれの角部に固定されるが、これは、角部には別途の部品が介在されないためである。
【００４９】
図８は、図６に示す中フレームが下フレームの側部と上フレームの側部固定部との間に介在される場合の液晶表示装置の断面図である。
【００５０】
図８を参照すると、中フレーム３００は、下フレーム２３０の側部２３４と上フレーム５００の側部固定部５２０との間に介在される介在部３３０をさらに有する。介在部３３０は、支持部３２０と一体に設けられてもよく、別途に製作されて支持部３２０に取り付けられてもよい。介在部３３０は、係合部材６００が下フレーム２３０の第１の貫通孔２３８と上フレーム５００の第２の貫通孔５３０とを介して固定されるとき、上フレーム５００の側部固定部５２０と下フレーム２３０の側部２３４とが互いに接近する過程で位置が固定される。こうして固定された中フレーム３００は、光学部材２２０と液晶パネル４００とが衝撃などにより遊動しないように働く。また、中フレーム３００の固定のための別途の部品が不要になるため、部品点数と製造工程数とを削減することができる。ここで、介在部３３０としては、上フレーム５００と下フレーム２３０との接近により固定可能である限り、いかなる構造も採用可能である。
【００５１】
以上、下フレーム２３０の光学部材支持部２３６について、光学部材が配置される場合を例にとって説明したが、液晶表示装置に光学部材２２０が配置されないか、あるいは、他の個所に配置される場合には、液晶パネル４００を支持する構造としても利用可能である。すなわち、下フレーム２３０は光源収納部２３２と、側部２３４と、側部から光源に向かって延在する面とを有することにより、全体としての液晶表示装置の小型化を図ることができ、前記光源に向かって延在する面には光学部材または液晶パネルなどが配置されていてもよい。
【００５２】
上述の下フレーム２３０は、金属物質から製作可能である。金属製の下フレーム２３０は、光源２１０からの熱を効果的に放出すると共に、電気的な接地の形成及び液晶表示装置１００の衝撃に対する抵抗の向上に寄与することができる。あるいは、下フレーム２３０は、衝撃に対する抵抗及び熱放出の特性を満たす限りにおいて、伝導性プラスチックから製作可能である。伝導性プラスチックは成形性に優れているため、本発明の側部２３４と光学部材支持部２３６との構造を形成する上で好適である。なお、上フレーム５００は、金属または伝導性プラスチックから製作可能であり、金属製または伝導製の下フレーム２３０と係合して堅い構造を形成する。
【００５３】
光学部材２２０としては、拡散板、拡散シート、プリズムシート、透過反射シートなど光の分布及び向きが変更可能ないかなる部材も採用可能である。光源２１０としては、冷陰極型光ランプ、熱陰極型光ランプ、ＬＥＤ（ｌｉｇｈｔ  ｅｍｉｔｔｉｎｇ  ｄｉｏｄｅ）などが採用可能である。係合部材６００としては、例示のねじに加えて、上フレーム５００と下フレーム２３０とを組み合わせできる限り、いかなる構造も採用可能である。例えば、突起と凹溝との嵌合または止め金と凹溝との嵌合などが採用可能である。なお、反射シートの斜め反射部は傾斜反射面を形成し、下フレームとの隙間が形成可能である限り、いかなる部材も採用可能である。
【００５４】
以上、図面及び上述の実施形態に基づいて本発明を詳細に説明したが、本発明はこれに限定されるものではなく、特許請求の範囲により限定される。よって、この技術分野における通常の知識を有する者であれば、特許請求の範囲において請求する技術的な思想から逸脱しない限り、本発明を種々に変形及び修正することができる。
【図面の簡単な説明】
【００５５】
【図１Ａ】下フレームが「コ」字状に２回折れ曲がるバックライトアセンブリを採用した本発明の一実施の形態による液晶表示装置の断面図である。
【図１Ｂ】下フレームが光源から遠ざかるように折れ曲がるバックライトアセンブリを採用した液晶表示装置の断面図である。
【図２】図１に示す下フレームが「コ」字状に２回折れ曲がるバックライトアセンブリを採用した液晶表示装置の分解斜視図である。
【図３】光源の先端部が反射シートの斜め反射部を貫通している本発明の一実施形態によるバックライトアセンブリの断面図である。
【図４】反射シートの斜め反射部が光源と当接していない本発明の一実施形態によるバックライトアセンブリの断面図である。
【図５】平面光源が下フレームに密着している本発明の一実施形態によるバックライトアセンブリの断面図である。
【図６】下フレームと反射シートが形成する空間を用いて下フレームと上フレームとが組み合わされている本発明の一実施形態による液晶表示装置の断面図である。
【図７Ａ】係合部材により下フレームの側部と上フレームの側部固定部とが係合された本発明の一実施形態による液晶表示装置の平面図である。
【図７Ｂ】係合部材が上フレームの液晶パネル支持部から液晶表示装置の厚さ方向に延在している液晶表示装置の平面図である。
【図８】図６に示す中フレームが下フレームの側部と上フレームの側部固定部との間に固定されている本発明の一実施形態による液晶表示装置の断面図である。
【符号の説明】
【００５６】
１００  液晶表示装置
２００  バックライトアセンブリ
２１０  光源
２２０  光学部材
２２２  拡散板
２２４  光学シート
２３０  下フレーム
２３２  光源収納部
２３４  側部
２３６  光学部材支持部
２４０  反射シート
２４２  光源反射部
２４４  斜め反射部
２４６  固定部
３００  中フレーム
３１０  離隔部
３２０  支持部
４００  液晶パネル
５００  上フレーム
【図１Ａ】
2009032658.tif 000003
【図１Ｂ】
2009032658.tif 000004
【図２】
2009032658.tif 000005
【図３】
2009032658.tif 000006
【図４】
2009032658.tif 000007
【図５】
2009032658.tif 000008
【図６】
2009032658.tif 000009
【図７Ａ】
2009032658.tif 000010
【図７Ｂ】
2009032658.tif 000011
【図８】
2009032658.tif 000012